(57)【要約】【課題】強度に優れ、材料の使用量を少なくするとともに、少ない工程で製造することができる極めて経済性に優れた擬似竹を提供すること。【解決手段】鋼管２の表面を着色した合成樹脂層３により被覆し、この合成樹脂層３の表面に、所定の間隔で節３１を形成するとともに、浅い深さの多数の凹溝３３を軸方向に形成する。【選択図】  図１
2005002766.tif 000002
【特許請求の範囲】
【請求項１】
鋼管の表面を着色した合成樹脂層により被覆し、該合成樹脂層の表面に、所定の間隔で節を形成するとともに、浅い深さの多数の凹溝を軸方向に形成したことを特徴とする擬似竹。
【請求項２】
所定の間隔で２つの節を近接させて形成することを特徴とする請求項１記載の擬似竹。
【請求項３】
１つの凹溝又は隣接する２つの凹溝を広幅に形成したことを特徴とする請求項１又は２記載の擬似竹。
【請求項４】
合成樹脂層を自然竹の擬似色に着色したことを特徴とする請求項１、２又は３記載の擬似竹。
【請求項５】
両端にキャップを嵌着したことを特徴とする請求項１、２、３又は４記載の擬似竹。
【請求項６】
少なくとも一端のキャップを自然竹の擬似色に着色したことを特徴とする請求項５記載の擬似竹。
【請求項７】
キャップの表面に、合成樹脂層に合わせて凹溝を形成したことを特徴とする請求項５又は６記載の擬似竹。
【請求項８】
先端に尖り状キャップを嵌着したことを特徴とする請求項１、２、３、４、５、６又は７記載の擬似竹。
【請求項９】
請求項１、２、３、４、５、６、７又は８に記載の擬似竹を複数用い、該疑似竹を組み立てて形成したことを特徴とする垣根。
【請求項１０】
擬似竹の交差部を固定する止め具により擬似竹を組み立てたことを特徴とする請求項９記載の垣根。
【発明の詳細な説明】
【０００１】
【発明の属する技術分野】
本発明は、自然竹を模した擬似竹及びこれを用いた垣根に関し、特に、強度に優れ、材料の使用量を少なくするとともに、少ない工程で製造することができる極めて経済性に優れた擬似竹及びこれを用いた垣根に関するものである。
【０００２】
【従来の技術】
従来から、自然竹を模した合成樹脂製品の擬似竹や、鋼材と合成樹脂との複合製品の擬似竹等がそれぞれ多様な形態で開示され広く市場に出ている。
【０００３】
例えば、擬竹材並びにその製造方法として、合成樹脂で屈折した中空状の管材を連続的に成形し、それを芯材としてその表面に地色用合成樹脂皮膜を形成するとともに、屈曲部毎に節部を隆盛し、各節部に模様皮膜用の合成樹脂が上層となるように塗着伸延する擬竹材が開示されている（特許文献１参照）。
また、節付き擬竹のノンストップ製造方法及びその装置として、棒状物を内部層として、この内部層の周面に着色合成樹脂材料を押出して竹表層を形成しつつ、その周囲を局部的に握締しつつ、所要の間隔毎に押出し方向へ皺寄せすることによって竹節様の環瘤を形成する方法が開示されている（特許文献２参照）。
【０００４】
【特許文献１】
特開平５−２２０８０９号公報
【特許文献２】
特開２００１−３２２１５３号公報
【０００５】
【発明が解決しようとする課題】
しかしながら、前者は、自然竹に著しく似せた擬竹材であることが推し量れるが、材質的にその強度は満足できるものでなく、また、後者は、その強度は満足できるものの、製造の工程数や材料の使用量が多く、その経済性に問題を残している。
【０００６】
本発明は、上記の問題点に鑑みてなしたものであり、強度に優れ、材料の使用量を少なくするとともに、少ない工程で製造することができる極めて経済性に優れた擬似竹及びこれを用いた垣根を提供することを目的とする。
【０００７】
【課題を解決するための手段】
上記目的を達成するため、本発明の擬似竹は、鋼管の表面を着色した合成樹脂層により被覆し、該合成樹脂層の表面に、所定の間隔で節を形成するとともに、浅い深さの多数の凹溝を軸方向に形成したことを特徴とする。
【０００８】
この擬似竹は、鋼管の表面を着色した合成樹脂層により被覆し、該合成樹脂層の表面に、所定の間隔で節を形成するとともに、浅い深さの多数の凹溝を軸方向に形成することから、強度に優れ、節や色及び凹溝への光の陰影が自然竹に擬似し、自然の風合いを醸しだすことができる。
【０００９】
この場合において、所定の間隔で２つの節を近接させて形成することができる。
【００１０】
これにより、擬似竹の形状をより自然竹に近似させることができる。
【００１１】
また、１つの凹溝又は隣接する２つの凹溝を広幅に形成することができる。
【００１２】
これにより、軸方向節間で連続する一筋又は隣接する二筋の窪みができ、擬似竹を自然竹により一層近似させることができる。
【００１３】
また、合成樹脂層を自然竹の擬似色に着色することができる。
【００１４】
これにより、青竹や枯れ竹、品種的には観音竹等の擬似竹が可能になる。
【００１５】
また、両端にキャップを嵌着することができる。
【００１６】
これにより、雨水等による鋼管の腐食を防止することができる。
【００１７】
また、少なくとも一端のキャップを自然竹の擬似色に着色したり、キャップの表面に、合成樹脂層に合わせて凹溝を形成することができる。
【００１８】
これにより、擬似竹をさらに自然竹に似せることができる。
【００１９】
また、キャップの表面に、合成樹脂層に合わせて凹溝を形成することができる。
【００２０】
これにより、擬似竹をより以上に自然竹に似せることができる。
【００２１】
また、先端に尖り状キャップを嵌着することができる。
【００２２】
これにより、地中への打ち込みを容易にすることができる。
【００２３】
一方、本発明の垣根は、上記本発明の擬似竹を複数用い、該疑似竹を組み立てて形成したことを特徴とする。
【００２４】
この垣根は、本発明の擬似竹を複数用い、該疑似竹を組み立てて形成することから、高強度で腐りにくい自然の竹に似た風合いの垣根を長期に亘って使用することができる。
【００２５】
この場合において、擬似竹の交差部を固定する止め具により擬似竹を組み立てることができる。
【００２６】
これにより、縄や紐で擬似竹同士を縛り就けるような作業が大きく軽減される。
【００２７】
【発明の実施の形態】
以下、本発明の実施の形態を図面に基づいて説明する。
【００２８】
図１に、本発明の擬似竹の一実施例を示す。
この擬似竹１は、鋼管２の表面を、所定の色に着色・配色した合成樹脂層３により被覆し、該合成樹脂層３の表面に、所定の間隔でリング状の節３１を形成するとともに、浅い深さの多数の凹溝３３を不規則に軸方向に形成するようにしている（このため、凹溝３３の間は、相対的に盛り上がった凸条３２が形成されることとなる）。
なお、凹溝３３は、所定のピッチで規則的に形成することもできる。
【００２９】
図２に、擬似竹の別の実施例を示す。
この擬似竹１は、所定の間隔で２つのリング状の節３１を近接させて形成し、１つの広幅の凹溝３４を形成したものである（このため、広幅の凹溝３４の両側には、相対的に盛り上がった凸条３２が形成されることとなる）。
本実施例の場合、所定の間隔で２つのリング状の節３１を近接させて形成するだけでもよく、あるいは、所定の間隔で１つのリング状の節３１を形成するとともに１つの凹溝３４を広幅に形成してもよい。
【００３０】
図３に、擬似竹の更に別の実施例を示す。
この擬似竹１は、所定の間隔で２つのリング状の節３１を近接させて形成し、２つの広幅の凹溝３４を隣接して形成（このため、広幅の凹溝３４の中と両側には、相対的に盛り上がった凸条３２が形成されることとなる。）したものである。
この場合も同様に、所定の間隔で２つのリング状の節３１を近接させて形成するだけでもよく、所定の間隔で１つのリング状の節３１を形成するとともに２つの広幅の凹溝３４を隣接して形成してもよい。
【００３１】
擬似竹１は、まず鋼帯を造管しながら、その表全周面に所定の色に着色・配色された合成樹脂を、間欠的に１回又は２回前後運動するダイスＤを通して連続して被覆し、冷却して所定の長さに切断する工程で製造される。
この場合、ダイスＤは、図４（ａ）に示すように、内周面に半径の異なる半球状又は半円柱状の凸部Ｄ１が不規則に形成されていたり、又は、図４（ｂ）（ｃ）（ｄ）に示すように、複数の凸部Ｄ１に加えて１本の凸部Ｄ２が広幅に、又は２本の広幅の凸部Ｄ２が隣接して形成されていたりする。
また、図４（ｂ）と図４（ｄ）は、前記図２と図３の擬似竹１のそれぞれ１／４断面図を示すものにもなっている。
【００３２】
被覆する合成樹脂には、成形性の良好な熱可塑性樹脂を好適に使用することができ、特に、汎用性の高い、ビニル樹脂系の塩化ビニルや酢酸ビニル等、オレフィン樹脂系のポリエチレン、ポリプロピレン等、これ等合成樹脂の混合体、これ等合成樹脂とエチレン−酢酸ビニル等の共重合体類やエラストマー類や変性ポリオレフィン類等との混合物を好適に使用することができる。
【００３３】
また、擬似竹１は、図示省略しているが、例えば、青竹や枯れ竹、観音竹等自然竹の擬似色に着色・配色することができ、また、このような擬似色は合成樹脂層を着色することで得ることができる。
【００３４】
このような擬似竹１は、強度的に優れ、リング状の節３１や凹溝３３や１つ又は隣接する２つの広幅な凹溝３４の形成と所定の色に着色、配色されたことで自然竹に擬似し、凹溝３３や広幅な凹溝３４への光の陰影が自然の風合いを醸しだすことになる。
特に、内周面に半径の異なる半球状又は半円柱状の複数の凸部Ｄ１又は／及びＤ２が不規則に形成されたダイスＤを用いて形成された凹溝３３、広幅の凹溝３４は、それ等の底面が概ね曲面となるため、光の陰影が穏和な印象を与え、自然の風合いを醸しだすことができる。
【００３５】
また、擬似竹１の端部には、キャップ４が嵌着されているが、このようなキャップ４は両端又は一端のどちらに設けてもよく、その素材には金属や合成樹脂が好適に使用でき、擬似竹１の雨水等による腐食を防止することができる。
【００３６】
さらに、図示しないが、キャップ４を自然竹の擬似色に着色したり、キャップの表面に、合成樹脂層に合わせて凹溝を形成することも可能であり、これにより、擬似竹をさらに自然竹に似せることができる。
【００３７】
図１（ｃ）は、先端側のキャップ４の上からさらに尖り状キャップ４１を被せた実施例を示している。
この場合、尖り状キャップ４１は、鋼管２に直接被せることもでき、また、尖り状キャップ４１の長さは、擬似竹１の地中への打ち込み易さ等を考慮して、適宜選定することができる。
このように、尖り状キャップ４１を被せることで、擬似竹１の地中への打ち込み作業が著しく楽なものになる。
【００３８】
次に、図５を参照して、本発明の垣根の実施例を説明する。
この垣根６は、上記実施例の擬似竹１を複数用い、該疑似竹１を組み立てて形成されている。
この場合、擬似竹１は、図５（ａ）に示すように、交差部を固定する止め具５により、格子状に組み立てられている。
止め具は、所定の色に着色、配色された合成樹脂一体成型品からなり、図６に示すように、横の擬似竹１を支える十文字状の支持部５１と、該支持部５１の先端から延設され、縦の擬似竹１に外嵌する嵌合保持部５２とを備えている。
また、垣根６は、図５（ｂ）に示すように、縄や紐等を用いて菱目状に形成することもできる。
【００３９】
このように、垣根６の形状や形成手段は限定されるものでなく、むしろ、好みの形態が優先されることになる。
いずれにしても、高強度で腐り難く、長期に亘って使用でき得る垣根の実現が可能になる。
また、所定の色に着色、配色された止め具５を用いた場合は、縄や紐等で擬似竹１同士を縛り付けるような作業が大きく軽減されることになる。
【００４０】
以上、本発明の実施例を説明したが、本発明の擬似竹及びこれを用いた垣根は、この実施例の記載に限定されるものではなく、例えば、鋼管と合成樹脂層との輪の中心を幾らかずらす、合成樹脂層の輪を幾らか楕円にする等、その趣旨を逸脱しない範囲において適宜に変更することが可能である。
【００４１】
【発明の効果】
本発明の擬似竹によれば、鋼管の表面を着色した合成樹脂層により被覆し、該合成樹脂層の表面に、所定の間隔で１つの又は隣接して２つの節を形成するとともに、浅い深さの多数の凹溝を又は凹溝の１つを広幅で又は隣接する２つの凹溝を広幅で軸方向に形成することから、強度に優れ、節や色及び凹溝への光の陰影が自然竹に擬似し、自然の風合いを醸しだすことができる。
【００４２】
この場合、所定の間隔で２つの節を近接させて形成することにより、擬似竹の形状をより自然竹に近似させることができる。
【００４３】
また、１つの凹溝又は隣接する２つの凹溝を広幅に形成することにより、軸方向節間で連続する一筋又は隣接する二筋の窪みができ、擬似竹を自然竹により一層近似させることができる。
【００４４】
また、合成樹脂層を自然竹の擬似色に着色することにより、青竹や枯れ竹、品種的には観音竹等の擬似竹が可能になる。
【００４５】
また、両端にキャップを嵌着することにより、雨水等による鋼管の腐食を防止することができる。
【００４６】
また、少なくとも一端のキャップを自然竹の擬似色に着色したり、キャップの表面に、合成樹脂層に合わせて凹溝を形成することにより、擬似竹をさらに自然竹に似せることができる。
【００４７】
また、先端に尖り状キャップを嵌着することにより、地中への打ち込みを容易にすることができる。
【００４８】
一方、本発明の垣根によれば、本発明の擬似竹を複数用い、該疑似竹を組み立てて形成することから、高強度で腐りにくい自然の竹に似た風合いの垣根を長期に亘って使用することができる。
【００４９】
この場合、擬似竹の交差部を固定する止め具により擬似竹を組み立てることにより、縄や紐で擬似竹同士を縛り就けるような作業が大きく軽減される。
【図面の簡単な説明】
【図１】本発明の擬似竹の一実施例を示し、（ａ）は一部切欠正面図、（ｂ）は、擬似竹の断面図、（ｃ）は尖り状キャップを嵌着した断面図である。
【図２】同擬似竹の別の実施例を示し、（ａ）は一部切欠正面図、（ｂ）は断面図である。
【図３】同擬似竹の更に別の実施例を示し、（ａ）は一部切欠正面図、（ｂ）は断面図である。
【図４】（ａ）（ｂ）（ｃ）（ｄ）は、それぞれ同擬似竹の成形ダイスを示す部分断面図である。
【図５】本発明の垣根の実施例を示し、（ａ）は碁盤目状の垣根の正面図、（ｂ）は菱目状の垣根の正面図である。
【図６】止め具を示し、（ａ）は使用状態の斜視図、（ｂ）は正面図、（ｃ）は平面図、（ｄ）は右側面図、（ｅ）は背面図である。
【符号の説明】
１    擬似竹
２    鋼管
３    合成樹脂層
３１  節
３２  凸条
３３  凹溝
３４  広幅の凹溝
４    キャップ
４１  尖り状キャップ
５    止め具
５１  支持部
５２  嵌合保持部
６    垣根
【図１】
2005002766.tif 000003
【図２】
2005002766.tif 000004
【図３】
2005002766.tif 000005
【図４】
2005002766.tif 000006
【図５】
2005002766.tif 000007
【図６】
2005002766.tif 000008